(57)【要約】【課題】ディスプレイのフィルタ画素配置方法の提供。【解決手段】画素が六個の等辺或いは不等辺の側辺を具えたものとされ、各画素がその六個の側辺で隣接する画素と接合され、六角形特有の配列の長所により、矩形及び円形の画素より優れた視覚効果を達成し、且つ液晶ディスプレイ、プラズマディスプレイ、有機ＥＬディスプレイに広く運用されうる方法である。【選択図】        図１
2004347930.tif 000002
【特許請求の範囲】
【請求項１】
六個の等辺或いは不等辺の側辺を具え、各画素がその六個の側辺で隣り合う画素と接合されたことを特徴とする、ディスプレイのフィルタ画素配置方法。
【請求項２】
請求項１記載のディスプレイのフィルタ画素配置方法において、この配置方法が液晶ディスプレイ、プラズマディスプレイ、有機ＥＬディスプレイに運用されて、走査線とデータ線により各画素が駆動されることを特徴とする、ディスプレイのフィルタ画素配置方法。
【請求項３】
請求項２記載のディスプレイのフィルタ画素配置方法において、走査線とデータ線の一方に連接された画素が直線状に配列され、走査線とデータ線のもう一方に連接された画素が曲線状に配列されたことを特徴とする、ディスプレイのフィルタ画素配置方法。
【請求項４】
請求項１記載のディスプレイのフィルタ画素配置方法において、画素が二色配置されたことを特徴とする、ディスプレイのフィルタ画素配置方法。
【請求項５】
請求項１記載のディスプレイのフィルタ画素配置方法において、画素が三色配置されたことを特徴とする、ディスプレイのフィルタ画素配置方法。
【発明の詳細な説明】
【０００１】
【発明の属する技術分野】
本発明は一種のディスプレイのフィルタ画素配置方法に係り、モノトーン或いはカラーフラットディスプレイに六角形画素が応用されて、六角形画素特有の配列の長所、矩形及び円形より優れた視覚効果により、良好な画像表示効果を達成する、ディスプレイのフィルタ画素配置方法に関する。
【０００２】
【従来の技術】
科学技術の発展に伴い、ますます多元化された社会となっているが、社会の構造形態が日々進歩しそれにつれて人々の求める生活品質が高まると、物品に対しても、「使えればよい」という考えから、不断の進歩或いは新規性を求めるようになり、全ての生活中の物品は、パーソナライズされ、テクノロジーが盛り込まれ、さらなる便利さが追求されている。
【０００３】
一般にフラットディスプレイのフィルタは多くの画素で構成されている。これらの画素の外観はほとんどが矩形或いは円形を呈し、配列方式には線条状、三角状、マトリックス方式があり、配列の方式が直接画像表示の視覚効果に影響を与える。このため、特許文献１には画像表示効果を改善するため、カラーフィルタのカラー均衡度を改良する方法が提供されている。それは、青色フィルタ膜が９個の格子からなる図形の中心に置かれ、緑色フィルタ膜が青色フィルタ膜の格子に最も近い四つの格子に置かれ、青色フィルタ膜の各二つの格子の間に緑色フィルタ膜の一つの格子が隣接し、赤色フィルタ膜が青色フィルタ膜から遠い四つの格子に置かれている。この方法は僅かな改良効果を提供するが、そのカラー画素は方形パターンが採用され、青色フィルタ膜の格子に接触する四つの格子内がいずれも緑色フィルタ膜とされ、赤色フィルタ膜を中心とするならば、それに接触する四つの格子もまた緑色フィルタ膜とされ、このためこの方法によるカラー画素配置は平均しておらず、且つ各フィルタ層の格子は四つの隣接面しかなく、有効な画像表示効果を発揮できない。
【０００４】
【発明が解決しようとする課題】
周知の技術の欠点を鑑み、本発明はフィルタのカラー画像表示効果を改善するため一種のディスプレイのフィルタ画素配置方法を提供し、ディスプレイに優れたフィルタを提供して良好な画像表示効果を達成できるようにする。
【０００５】
本発明は一種のディスプレイのフィルタ画素配置方法を目的とし、それは、画素が六個の等辺或いは不等辺の側辺を具えたものとされ、各画素がその六個の側辺で隣接する画素と接合され、六角形特有の配列の長所により、矩形及び円形の画素より優れた視覚効果を達成し、且つ液晶ディスプレイ、プラズマディスプレイ、有機ＥＬディスプレイに広く運用されうる方法であるものとする。
【０００６】
【特許文献１】
台湾特許公告第４４１１１８号明細書
【０００７】
【課題を解決するための手段】
請求項１の発明は、六個の等辺或いは不等辺の側辺を具え、各画素がその六個の側辺で隣り合う画素と接合されたことを特徴とする、ディスプレイのフィルタ画素配置方法としている。
請求項２の発明は、請求項１記載のディスプレイのフィルタ画素配置方法において、この配置方法が液晶ディスプレイ、プラズマディスプレイ、有機ＥＬディスプレイに運用されて、走査線とデータ線により各画素が駆動されることを特徴とする、ディスプレイのフィルタ画素配置方法としている。
請求項３の発明は、請求項２記載のディスプレイのフィルタ画素配置方法において、走査線とデータ線の一方に連接された画素が直線状に配列され、走査線とデータ線のもう一方に連接された画素が曲線状に配列されたことを特徴とする、ディスプレイのフィルタ画素配置方法としている。
請求項４の発明は、請求項１記載のディスプレイのフィルタ画素配置方法において、画素が二色配置されたことを特徴とする、ディスプレイのフィルタ画素配置方法としている。
請求項５の発明は、請求項１記載のディスプレイのフィルタ画素配置方法において、画素が三色配置されたことを特徴とする、ディスプレイのフィルタ画素配置方法としている。
【０００８】
【発明の実施の形態】
図１は本発明の画素形状及び配列表示図である。本発明によると、複数の画素１０は感光性材料で組成され並びに感光ホトレジスト上に形成され、該画素１０にはリソグラフィー露光、現像及び水洗工程により色を具えた光膜層が形成され、これらの画素１０は６個の対等或いは不対等の側辺１１を具え、本発明の好ましい実施例では、これら側辺１１は六個の等辺とされ、並びに任意の画素１０の六個の側辺１１がいずれも該画素１０の周囲の六個の画素１０の一つの側辺１１に連接され、こうして各画素１０が平均して配列され、周囲の画素１０と連接する側面はいずれも六個の面とされ、液晶ディスプレイに運用されて良好な画像表示視覚効果を提供する。
【０００９】
図２は本発明の走査線とデータ線連接方式表示図である。画素１０は曲線状の走査線ｓと直線配列状のデータ線ｄで駆動される。
【００１０】
図３は本発明の二色画素の配列方式表示図であり、これに示される第１色の複数の第１画素２０は六個の対等の側辺２１を具え、第２色の複数の第２画素３０は六個の対等の側辺３１を具え、該第１画素２０と第２画素３０はそれぞれ横向きに配列されて第１画素２０の列と第２画素３０の列が交互に配置されている。そのうち、第１画素２０の上下部分の四つの側辺２１にそれぞれ第２画素３０の一つの側辺３１が連接され、第１画素２０の残りの左右の側辺２１がそれぞれ第２画素３０の一つの側辺３１に連接され、良好な画像表示視覚効果を提供する。
【００１１】
図４は本発明のもう一つの二色画素の配列方式表示図であり、これに示される第１色の複数の第１画素２０は六個の対等の側辺２１を具え、第２色の複数の第２画素３０は六個の対等の側辺３１を具え、該第１画素２０と第２画素３０はそれぞれ縦向きに配列されて第１画素２０の縦列と第２画素３０の縦列が交互に配置されている。そのうち、第１画素２０の一側の三つの側辺２１はそれぞれ第２画素３０の一つの側辺３１に連接され、反対側の一つの側辺２１が第２画素３０の一つの側辺３１に連接され、並びに第１画素２０の残りの二つの側辺２１が別の第１画素２０の一つの側辺２１に連接され、良好な画像表示視覚効果を提供する。
【００１２】
図５は本発明の三色画素の配列方式表示図であり、第１画素４０の三つの側辺４１がそれぞれ第２画素５０の一つの側辺５１に連接され、第１画素４０の残りの三つの側辺４１がそれぞれ第３画素６０の一つの側辺６１に連接され、これにより、第１画素４０、第２画素５０或いは第３画素６０がいずれも別の二種類の画素１０と隣接する六個の面を具えている。
【００１３】
【発明の効果】
本発明の六角形画素はモノトーン及びカラーフラットディスプレイに応用され、六角形特有の配列の長所を具え、その視覚効果は矩形及び円形画素より優れ、配列及び設計上、多くの長所を有し、且つこの方法は広く液晶ディスプレイ、プラズマディスプレイ、有機ＥＬディスプレイに運用されうる。
【００１４】
以上の実施例は本発明の実施範囲を限定するものではなく、本発明に基づきなしうる細部の修飾或いは改変は、いずれも本発明の請求範囲に属するものとする。
【図面の簡単な説明】
【図１】本発明の画素形状及び配列表示図である。
【図２】本発明の走査線とデータ線の連接方式表示図である。
【図３】本発明の二色画素の配列方式表示図である。
【図４】本発明のもう一つの二色画素の配列方式表示図である。
【図５】本発明の三色画素の配列方式表示図である。
【符号の説明】
１０  画素          １１  側辺
２０  第１画素      ２１  側辺
３０  第２画素      ３１  側辺
４０  第１画素      ４１  側辺
５０  第２画素      ５１  側辺
６０  第３画素      ６１  側辺
ｓ  走査線          ｄ  データ線
【図１】
2004347930.tif 000003
【図２】
2004347930.tif 000004
【図３】
2004347930.tif 000005
【図４】
2004347930.tif 000006
【図５】
2004347930.tif 000007